(57)【要約】  摺動方向に湾曲可能に形成され、装置本体の開口及びシャッタ格納側の対向した両側に設けられて一部に湾曲部を有する対のガイド溝に沿って摺動されて前記開口を開閉するシャッタにおいて、シャッタは、ガイド溝に対応部を嵌合した状態でガイド溝に沿って摺動されるシャッタ基材と、シャッタ基材の外面に配設されるヒンジ基材とを備えていると共に、ヒンジ基材が連続繊維強化プラスチックからなるシートであるか、又は、プリプレグ材を用いて作製されたシートであることを特徴としている。
2017043579.tif 000002
【特許請求の範囲】
【請求項１】
摺動方向に湾曲可能に形成され、装置本体の開口及びシャッタ格納側の対向した両側に設けられて一部に湾曲部を有する対のガイド溝に沿って摺動されて前記開口を開閉するシャッタにおいて、
前記シャッタは、前記ガイド溝に対応部を嵌合した状態でガイド溝に沿って摺動されるシャッタ基材と、前記シャッタ基材の少なくとも外面を覆うよう配設されるヒンジ基材とを備えていると共に、前記ヒンジ基材が連続繊維強化プラスチックからなるシートであることを特徴とするシャッタ。
【請求項２】
前記連続繊維強化プラスチックからなるシートがプリプレグ材を用いて作製されたシートであることを特徴とする請求項１に記載のシャッタ。
【請求項３】
前記プリプレグ材の繊維は織物で構成されていることを特徴とする請求項２に記載のシャッタ。
【請求項４】
前記織物は前記シャッタ摺動方向の繊維数がシャッタ摺動方向に対し交差する方向の繊維数より少ないことを特徴とする請求項３に記載のシャッタ。
【請求項５】
前記プリプレグ材は繊維を一方向にそろえたＵＤテープからなることを特徴とする請求項２に記載のシャッタ。
【請求項６】
前記シャッタ基材及び前記ヒンジ基材は、前記ガイド溝にそれぞれ対応部を嵌合した状態で摺動可能となっていることを特徴とする請求項１から５の何れかに記載のシャッタ。
【請求項７】
車両用小物入れの蓋であることを特徴とする請求項１から６の何れかに記載のシャッタ。
【発明の詳細な説明】
【技術分野】
【０００１】
本発明は、装置本体の開口を開閉するシャッタに関する。
【背景技術】
【０００２】
図９（ａ），（ｂ）は特許文献１に開示のものである。このシャッタ（蓋）１０は、摺動方向に間隔を保って並設された複数のロッド１２、及び各ロッド１２の上面を覆った状態でロッド同士の間を曲げ易く連結している緩衝シート１４と、緩衝シート１４に貼着された装飾フィルム１６とで構成されて、ボックス２０に設けられて湾曲部を有するガイド溝２２に幅方向の両端部を嵌合した状態で摺動して開口部２１を開閉する。以上のシャッタ構造は、湾曲部に馴染むようロッド１２と装飾フィルム１６との間に緩衝シート１４を介在して局部的な折り曲がりを防ぐようにして、外観低下要因である局部荷重に起因した割れ白化等の損傷を生じ難くしている。ここで、構成部材の材質は、ロッド１２が剛性・強度を確保可能な樹脂製、緩衝シート１４が不織布やフェルト製、装飾フィルム１２が模様を印刷したポリ塩化ビニル製とある。【０００３】
図１０（ａ），（ｂ）は特許文献２に開示のものである。このシャッタ１５は、意匠性向上を目的とし、剛性・強度を付与する複数のシャッタ構成部材１７を布テープ２１に屈曲可能に連結した主シャッタ１６と、主シャッタ１６に連結されると共に主シャッタの外側に配置されて軟質部２３、外面の表皮２４、内面のシート２５からなる可撓性の副シャッタ２２とに分割され、また、形態変更部としてシャッタ構成部材１７は幅方向で外側へ膨らむ湾曲面１８を有している。本体１１に設けられた一対のガイド溝部３１は、主直線溝部３３及び主湾曲溝部３４を有した主ガイド溝３２と、副直線溝部３７及び副湾曲溝部３８を有した副ガイド溝３６とに分割され、また、形態変更部として主直線溝部３３と副直線溝部３７の間隔は狭く、主湾曲溝部３４と副湾曲溝部３８の間隔は広く設定されている。以上の副シャッタ２２は、形態変更部により副直線溝部３７による案内に際し、摺動方向には直線状をなし、幅方向には外側へ膨らむよう湾曲する第１の形態とされ、また、副湾曲溝部３８による案内に際し、摺動方向には同溝部に沿って外側へ膨らむよう湾曲し、幅方向には平坦となる第２の形態とされる。ここで、構成部材の材質は、シャッタ構成部材１７が硬質樹脂製、布テープ２１が不織布製、軟質部２３が軟質樹脂製、表皮２４が伸縮性樹脂製、シート２５がポリカーポネート製とある。
【先行技術文献】
【特許文献】
【０００４】
【特許文献１】特開平９−１９３９５２号公報
【特許文献２】特開２０１３−２０４２５６号公報
【発明の概要】
【発明が解決しようとする課題】
【０００５】
上記特許文献１のシャッタ構造では、装飾フィルムに施された模様が長期使用により次第に歪んで見栄えが悪くなることがある。主な原因は、ガイド溝の湾曲部で局部的な荷重を極力受け難くしたとしても、本発明のヒンジ基材に対応する緩衝シートが部分的にクリープ変形して元の形状に戻らなくなるからである。この対策としては、緩衝シートについて厚さ寸法を変えてクリープ変形を緩和しようとすると、例えば、厚く設定すると摺動時の操作力が高くなり、薄く設定するとガイド溝の湾曲部で受ける局部荷重等で曲げ線が見えて見栄えを損なう。以上のような問題は、特許文献２のシャッタ構造、つまり副シャッタを構成している軟質部（本発明のヒンジ基材に対応）の上面に模様を描いたり、表皮に代えて模様を印刷した装飾フィルムを設ける場合も同様におきる。【０００６】
そこで、本発明の目的は、シャッタの構成部材のうち、ヒンジ基材に生じ易いクリープ変形に起因する外観低下をなくし、また、操作力調整の自由度に優れたシャッタを提供することにある。他の目的は、以下の内容説明のなかで明らかにする。
【課題を解決するための手段】
【０００７】
本発明者らは、上記目的を達成するためシャッタを構成しているヒンジ基材を対象とし、上記したクリープ変形に起因した外観低下を防ぐため、耐クリープ特性の高い材質や仕様を検討してきたが、従来採用の樹脂製、不織布やフェルト製ではどうしても満足できなかった。ところが、ヒンジ基材として、連続繊維強化プラスチックからなるシート、或いはプリプレグ材を用いて作製されたシートの場合は従来の樹脂成形品、不織布等に比べ強度、剛性、強靱性、耐熱性に優れると共に、厚さを薄くして湾曲可能にすることも容易なことを知見した。また、連続繊維強化プラスチックからなるシート、又は、プリプレグ材を用いて作製されたシートは耐クリープ特性に優れており、模様を印刷した装飾フィルムを貼着した仕様では、従来問題視された真夏の高温下使用においても熱的な変形が起こり難く、従来のごとくクリープ変形で元の形状に戻らなくなるという虞を解消できることが分かった。【０００８】
本発明に係るシャッタは、摺動方向に湾曲可能に形成され、装置本体の開口及びシャッタ格納側の対向した両側に設けられて一部に湾曲部を有する対のガイド溝に沿って摺動されて前記開口を開閉するシャッタにおいて、前記シャッタは、前記ガイド溝に対応部を嵌合した状態でガイド溝に沿って摺動されるシャッタ基材と、前記シャッタ基材の外面に配設されるヒンジ基材とを備えていると共に、前記ヒンジ基材が連続繊維強化プラスチックからなるシートであることを特徴としている。
本発明において、前記連続繊維強化プラスチックからなるシートは、プリプレグ材を用いて作製されたシートであってもよい。なお、以下の説明では、「プリプレグ材を用いて作製されたシート」を「プリプレグシート」と略称する。【０００９】
ここで、本発明において、ヒンジ基材としては、意匠面を形成している部材であり、少なくとも上面に木目等の模様を印刷した装飾フィルムを貼着する部材も含まれる。本発明において「ヒンジ基材が連続繊維強化プラスチックからなるシートである」との特定は、製造手順に関わらず材料の素材構成から特定したことに意義がある。本発明において「連続繊維強化プラスチックからなるシートがプリプレグ材を用いて作製されたシート」との特定は、繊維と樹脂を組み合わせた成形前の中間材料を用いる点で「前記ヒンジ基材が連続繊維強化プラスチックからなるシートである」場合と区別される。つまり、「連続繊維強化プラスチックからなるシートがプリプレグ材を用いて作製されたシート」場合は、中間材料を用いるという製造手順構成から特定したことに意義がある。付言すると、連続繊維強化プラスチックからなるシートとプリプレグシートは、材料の素材構成が強化繊維材にマトリックス用の樹脂材を含む点で同じである。但し、プリプレグシートの方は、中間材料であるプリプレグ材を用いることを必須とし、中間材料を用いるか否かを問わない連続繊維強化プラスチックからなるシートと区別される。【００１０】
詳述すると、連続繊維強化プラスチックとプリプレグ（Ｐｒｅ−ｐｒｅｇ）材は、強化繊維材として炭素繊維やガラス繊維等にマトリックス用樹脂材として熱硬化性樹脂や熱可塑性樹脂を含む構成である。具体例としては、強化繊維材に樹脂フィルムをラミネートし加熱、加圧により含浸させたもの、強化繊維材に微細なプラスチック粒を絡ませたもの、強化繊維材とプラスチック製の繊維材とを混織したものなどを含む。マトリックス用の樹脂材は、エポキシ樹脂やポリエステル樹脂等の熱硬化性樹脂、又は、ポリアミド樹脂やポリプロピレン樹脂、塩化ビニル樹脂等の熱可塑性樹脂である。【００１１】
マトリックス用の樹脂材として、熱可塑性樹脂材を用いたものは、リサイクル性に優れ、また熱硬化性樹脂を含浸したり配合した材料に比べ接着性に優れている。熱硬化製樹脂材を用いたものは、熱可塑性樹脂を含浸したり配合した材料に比べ耐熱性や耐薬品性に優れ、また溶融状態での粘性が低く均一に配合可能なため外観特性に優れている。【００１２】
強化繊維材としては、例えば、炭素繊維、ガラス繊維、黒鉛繊維、アルミナ繊維、炭化ケイ素繊維、ボロン繊維、スチール繊維、アモルファス繊維、有機繊維等が挙げられ、これらを単独又は２種以上を組み合わせて用いることができる。繊維の形態は、例えば、連続繊維、長繊維、短繊維、これらを混ぜた複合繊維の何れでもよい。また、繊維方向や配置態様としては、単一方向、ランダム方向、シート状、マット状、織物状、組紐状の何れでもよい。また、以上の強化繊維材は、以下に挙げる構成から選択してよい。【００１３】
（ア）強化繊維材は連続した繊維で構成されていることである。この連続した繊維とは、短繊維又は長繊維がマトリックス用樹脂中にほぼ同じ向きに配置ないしは存在している態様であり、要は繊維の向きがランダムないしは不連続ではなくほぼそろっている態様である。この構成は、例えば、シャッタを摺動方向に湾曲可能にする上で、シャッタの曲がるポイントが明確であり、操作力の調整が容易で操作力を一定にできる。【００１４】
（イ）強化繊維材は織物で構成されていることである。この織物は、タテ糸とヨコ糸の組み合わせにより、平織、綾織、朱子織の何れでもよい。平織は、タテ糸とヨコ糸が交互に1本ずつ交差して組織した簡単で堅牢な織組織である。平織を用いたプリプレグシートはタテ・ヨコ方向に均一な引っ張り強さを持つ。綾織は、タテ糸やヨコ糸が２本又はそれ以上連続して織られる織組織である。綾織を用いたプリプレグシートは平織りよりもソフト感がある。朱子織は、タテ、ヨコ５本以上の糸から構成され、どちらかが表面に浮き出た織組織である。強化繊維として織物を用いたものは、強度や剛性を強くできる。【００１５】
（ウ）前記織物は前記シャッタ摺動方向の繊維数がシャッタ摺動方向に対し交差する方向の繊維数より少なくなっている構成である。この織物は、シャッタの摺動方向に配置された繊維数が摺動方向に対し交差する方向の繊維数より少なくなっていると、例えば、シャッタの強度を維持した状態で操作力を低めに調整可能となり、設計自由度を拡大できる。【００１６】
（エ）前記プリプレグ材は繊維を一方向にそろえたＵＤ（Ｕｎｉ  Ｄｉｒｅｃｔｉｏｎ）テープからなる構成である。このＵＤテープは、一方向連続繊維を用いたプリプレグ材であり、シャッタの曲がるポイントが明確であり、操作力の調整が容易で、操作力を一定にし易い。また、成形時の流動化が良好で、多少複雑な形状でも追従性に優れ、均質な積層構造を得ることができる。【００１７】
また、以上のシャッタ基材及びヒンジ基材は、本発明の第１形態に例示されるごとくシャッタ基材だけが対応部を前記ガイド溝に摺動可能に嵌合した構成、本発明の第２形態に例示されるごとくシャッタ基材及びヒンジ基材の各対応部が前記ガイド溝にそれぞれ嵌合した状態で摺動可能な構成、更に特許文献２のごとく両部材の各対応部を独立したガイド溝にそれぞれ摺動可能に嵌合した構成の何れでもよい。このうち、本発明の第２形態の場合は、本発明の第１形態に比べガイド溝の湾曲部で加わる応力をシャッタ基材及びヒンジ基材で分散してより安定した摺動状態を維持でき、特許文献２に比べ構成部材数が少なく、ガイド溝の数が少なくなる分だけ簡易で、また収納空間を広く確保し易い。【００１８】
また、以上のシャッタは車両用小物入れの蓋として適用できる。この車両用小物入れは、真夏の高温環境に晒されたり、見栄えが長期に渡って維持されることが強く望まれるからである。小物入れは、各形態のごとく開口が前後ないしは左右に長いタイプに限られず、上下に長いタイプ（例えば、特許第４６８０４５２号公報に例示されるような構成）でも差し支えない。
【発明の効果】
【００１９】
本発明では、シャッタを構成しているヒンジ基材が連続繊維強化プラスチックからなるシート、又は、プリプレグシートであり、従来の樹脂成形品、不織布等に比べ強度、剛性、強靱性を向上し、厚さを薄くして湾曲可能にすることも容易であり、しかも模様を印刷した装飾フィルムを連続繊維強化プラスチックからなるシート、或いはプリプレグシートに貼着した場合は熱的な変形が起こり難く耐クリープ特性に優れ、上記したようなクリープ変形に起因した外観低下の問題を解消できる。
【図面の簡単な説明】
【００２０】
【図１】本発明の第１形態のシャッタを適用した小物入れ装置を示し、（ａ）は上面図、（ｂ）は（ａ）のＡ−Ａ線断面図である。
【図２】図１（ａ）のＢ−Ｂ線断面図であり、（ａ）はシャッタの閉状態、（ｂ）はシャッタの開状態である。
【図３】上記シャッタ（装飾フィルムを省略）を装置本体のガイド溝と共に示す概略斜視図である。
【図４】図３のシャッタ構成を示し、（ａ）は下側より見上げた状態での斜視図、（ｂ）はシャッタ基材とヒンジ基材の関係を示す模式構成図である。
【図５】本発明の第２形態のシャッタを適用した小物入れ装置を示し、（ａ）は上面図、（ｂ）は（ａ）のＣ−Ｃ線断面図である。
【図６】（ａ）は図５（ａ）のＤ−Ｄ線に沿った拡大断面図、（ｂ）は図５（ａ）のＥ−Ｅ線に沿った拡大断面図である。
【図７】上記シャッタを装置本体のガイド溝と共に示す概略分解斜視図である。
【図８】図５のシャッタ構成を示し、（ａ）は下側より見上げた状態での斜視図、（ｂ）はシャッタ基材とヒンジ基材の関係を示す模式構成図である。
【図９】特許文献１に開示されているシャッタ（蓋）要部を示す図である。
【図１０】特許文献２に開示されているシャッタ要部を示す図である。
【発明を実施するための形態】
【００２１】
以下、本発明の実施形態について添付図面を参照して説明する。図１（ａ）から図４（ｂ）は本発明の第１形態を示し、図５（ａ）から図８（ｂ）は第２形態を示している。以下の説明では、第１形態により発明特徴を明らかにした後、第２形態の変更点に言及する。
【００２２】
（第１形態）図１（ａ）から図４（ｂ）に示す小物入れ装置１は、自動車のセンターコンソールに設けられる例であり、上側を開口した容器状の装置本体１０と、装置本体１０の両側に組付けられて前記開口の両側を区画している対の側板１５と、両側板１５に対向して設けられているガイド溝１８と、摺動方向に湾曲可能に形成されてガイド溝１８に沿って摺動されて前記開口を開閉するシャッタ２とを備えている。また、シャッタ２は、ガイド溝１８に対応部（３ａ）を嵌合した状態でガイド溝１８に沿って摺動されるシャッタ基材３と、シャッタ基材３の上面に配設された連続繊維強化プラスチックからなるシート又はプリプレグシートであるヒンジ基材４と、ヒンジ基材４の上面つまり外面に貼着された装飾フイルム５とからなる。以下、これらの細部を明らかにする。なお、ヒンジ基材４についてはプリプレグシートの例で説明するが、プリプレグ材のような中間材料を経ることなく原料の材料（強化繊維材にマトリックス用の樹脂材を含む素材）から直にシートを作製する構成でもよい。本発明による連続繊維強化プラスチックからなるシートは、製造手順を問わずあくまでも材料の素材構成から特定したものである。
【００２３】
小物入れ装置１において、装置本体１０及び各側板１５は樹脂の射出成形品からなる。装置本体１０は、底壁１１、両側壁１２，１２、前壁１３、後壁１４とで前後に長い矩形容器状となっている。各側板１５は、細長い直線板部１６及び直線板部１６の後側に設けられた幅広の格納板部１７からなる。ガイド溝１８は、側板同士の対向内面にあって、直線板部１６に設けられて前後方向に延びる直線部１８ａ及び格納板部１７に設けられて上下円弧状に延びる湾曲部１８ｂからなる。符号１９は取付部であり、小物入れ装置１をコンソールボックスの設置部に固定するときに使用される。
【００２４】
シャッタ２において、まず、シャッタ基材３は、ＰＡ（ポリアミド）やポリ塩化ビニルやＡＢＳ（アクリル・ブタジェン・スチレン重合体）等の硬質樹脂製であり、図３及び図４に示されるごとく、摺動方向に間隔を保って並設される複数の片状骨材３Ａと、前側（引出端側）に配置されて片状骨材３Ａよりも板幅が広い１番目の板状骨材３Ｂとで構成されている。片状骨材３Ａの両端には単一の突起３ａが設けられ、板状骨材３Ｂの両端部には２つの突起３ａが設けられている。各突起３ａは、骨材３Ａ，３Ｂの上面と段差状に設けられて、ガイド溝１８に摺動可能に嵌合される。
【００２５】
また、各骨材３Ａは、突起３ａ同士の間にあって、上面が平坦面に形成され、下面が多数の逆凹状欠肉部の存在により凹凸状となっている。骨材３Ｂは、突起３ａ同士の間にあって、上面が平坦面に形成され、下面が浅い窪みに形成されている。また、骨材３Ｂには、突起３ａ同士の間にあって、上下に貫通された２つの貫通孔３ｂと、図２（ａ）の拡大図に示されるごとく上面に突出された位置決め用突片３ｃとが設けられている。
【００２６】
ヒンジ基材４は、シャッタ基材である各骨材３Ａ，３Ｂの上面を覆った状態で、骨材３Ａと骨材３Ｂの間、及び骨材３Ａ同士の間に屈曲用の隙間を保って各骨材（の上面）を貼着し一体化する。つまり、シャッタ２は、ヒンジ基材４の下面に各骨材３Ａ，３Ｂを所定間隔を保って貼着した構成であり、ヒンジ基材４がプリプレグシートからなる。このプリプレグシート（ヒンジ基材）４は、炭素繊維等の強化繊維材にマトリックス用の樹脂材を含浸ないしは配合させたプリプレグ材により作製される。
【００２７】
ヒンジ基材４であるプリプレグシートは、長手方向に湾曲可能な厚さに設定されている。作製手順の一例は、第１に材料（プリプレグ材）を対象の製品形状に裁断する。第２に裁断した材料をヒータ等の加熱装置によりマトリックス用樹脂材の融点以上の温度に加熱する。第３に加熱装置から取り出した材料をプレス装置内の金型へ移動させ、加圧する。第４に加圧された成形体を冷却した後、金型から取り出すことになる。この例はスタンピング成形であり、加熱する工程と、プレス装置で加圧・冷却する工程とが分かれており、加熱する工程及び加圧・冷却する工程を連続して行う方法に比べてプレス装置の専有時間が短く、量産生産に適した方法である。
【００２８】
また、ヒンジ基材４であるプリプレグシートには、骨材３Ｂの貫通孔３ｂに対応した箇所に位置した２つの貫通孔４ａと、貫通孔４ａ同士の間に位置して位置決め用突片３ｃを挿通する貫通孔４ｂとが設けられる。各貫通孔４ａ，４ｂは、手加工で設けてもよいが、上記プリプレグ材からプリプレグシートを製作する過程で用いられるプレス装置を利用して設けることも可能である。
【００２９】
一方、装飾フィルム５は、例えば、ポリ塩化ビニルフィルム等であり、印刷面の上に保護層として透明クリア層がラミネート加工等で施されている。なお、図面上は、作図の制約から装飾フィルム５に印刷等で施される模様を省略している。模様としては、木目調以外に使用目的に応じた色々な模様を印刷可能である。以上の装飾フィルム５は、従来と同様な方法でヒンジ基材４の上面を覆うよう貼着される。この場合、装飾フィルム５は、上記プリプレグ材からプリプレグシートを製作する過程で用いられるプレス装置を利用して、上記プリプレグ材の加圧と同時又は加圧後に貼着することも可能である。その場合は、装飾フィルム５に上記各貫通孔４ａ，４ｂに対応した不図示の貫通孔が設けられる。
【００３０】
以上のようにして作製されたシャッタ２には把手７が組付けられる。把手７は、樹脂成形品であり、骨材３Ｂの貫通孔３ｂに対応する２つの穴部７ａと、突片３ｃと係合する係合穴７ｂとを有している。そして、この把手７は、ヒンジ基材４及び装飾フィルム５の貫通孔４ｂ等から突出されている骨材３Ｂの突片３ｃを係合穴７ｂに挿入し係合した状態で、止め具である２本のネジ８がヒンジ基材４及び装飾フィルム５の貫通孔４ａ等から穴部７ａに螺入される。これにより、把手７は、図１（ａ）や図３に示されるごとくシャッタ２の前上側に装着される。
【００３１】
（作動）以上のシャッタ２は、装置本体１のガイド溝１８に対し各突起３ａを嵌合した状態に組み込まれて、装置本体１の開口を塞いだ図２（ａ）の閉状態から、把手７を利用して図２（ｂ）の開方向つまりガイド溝１８の直線部８ａから湾曲部８ｂの方向へ摺動される。この構造において、摺動操作は、ガイド溝１８の湾曲部１８ｂが略小円形状に湾曲していても、シャッタ基材３が多数の骨材３Ａ，３Ｂで構成され、また、ヒンジ基材４がプリプレグシートであり、従来の樹脂製、不織布製、フェルト製に比べ強度、剛性、強靱性を向上し、同時に、織物の組成を変えることで厚みと剛性を調整できると共に、厚さを薄くして湾曲可能にすることも容易なため、シャッタ２を開閉方向に摺動するときに従来の操作力に比べて弱い力で摺動操作可能となる。また、この構造では、模様を印刷した装飾フィルム５をヒンジ基材４であるプリプレグシートの意匠面つまり上面に貼着した場合、長期使用しても熱的な変形が起こり難く耐クリープ特性に優れているため、クリープ変形に起因した外観低下の問題を一掃できる。これらは、プリプレグ材を用いずに作製された連続繊維強化プラスチックからなるシートでも同じである。
【００３２】
以上のプリプレグシート、又は、連続繊維強化プラスチックからなるシートを構成している強化繊維材は上記したように次のような点を考慮して選択することができる。
（ア）強化繊維材は、連続した繊維で構成されていると、例えば、シャッタを摺動方向に湾曲可能にする上で、シャッタの曲がるポイントが明確であり、操作力の調整が容易となる。なお、繊維の合わせ部を結ぶ線を曲がるポイントとして、曲がるポイントの線が、摺動方向に対して直行するようにする構成でもよい。
（イ）強化繊維材は、織物で構成されていると、特に強度や剛性を増大でき、それに比例してシート厚さを薄くできる。
（ウ）この場合、織物としては、シャッタの摺動方向に配置された繊維数が摺動方向に対し交差（垂直）する方向の繊維数より少なくなっていると、例えば、シャッタの強度を維持した状態で操作力を低めに調整可能となり、設計自由度を拡大できる。（エ）繊維を一方向にそろえたＵＤ（Ｕｎｉ  Ｄｉｒｅｃｔｉｏｎ）テープ、つまり一方向連続繊維を用いたプリプレグ材であると、シャッタの曲がるポイントが明確であり、操作力の調整が容易で、操作力を一定にし易い。
【００３３】
（第２形態）この形態は、第１形態に比べてシャッタ２を構成しているシャッタ基材６と、シャッタ基材６とヒンジ基材４Ａとの連結構成を変更した一例である。なお、この形態では、装飾フィルムを省略したが、必要に応じてヒンジ基材４Ａに一体化してもよい。この説明では、図５（ａ）乃至図８（ｂ）において、以上の第１形態と同一又は類似する箇所には同じ符号を付し、重複した記載を極力省くことにする。
【００３４】
小物入れ装置１において、装置本体１０及び側板１５は第１形態と実質的に同じである。一方、シャッタ２において、シャッタ基材６は、ＰＡ（ポリアミド）やポリ塩化ビニルやＡＢＳ（アクリル・ブタジェン・スチレン重合体）等の硬質樹脂製であり、図７及び図８（ａ）（ｂ）に示されるごとく概略形状が細長い両刃のこぎり形状で、全寸がヒンジ基材４Ａより少し短くなっている。
【００３５】
すなわち、シャッタ基材６は、幅方向の中間にあって上面前後方向に延びた長溝６０と、長溝６０の溝内にあって所定間隔で設けられて上下貫通されている係合孔６０ａと、長溝６０の両側にあって前側の一部（第１形態の骨材３Ｂに対応する部分）を除いてスリット状の切り溝６２を等間隔に設けることで区画された複数の腕部６１と、複数の腕部６１のうち一つ間隔の腕部６に設けられて、腕部６の先端面に突出されてガイド溝１８に嵌合する突起６３と、前側（第１形態の骨材３Ｂに対応する部分）に設けられた両側の貫通孔６ａと、貫通孔６ａ同士の間に設けられた係合孔６ｂとを有し、長手方向に湾曲可能となっている。なお、両側の切り溝６２は、シャッタ基材６の下面において連続溝として形成されている。
【００３６】
ヒンジ基材４Ａは、プリプレグシートからなり、シャッタ基材６に対してシャッタ基材の上面を覆った状態で連結される。このヒンジ基材４Ａは、第１形態と同様に炭素繊維等の強化繊維材にマトリックス用の樹脂材を含浸ないしは配合させたプリプレグ材により作製される。
【００３７】
また、ヒンジ基材４Ａであるプリプレグシート（又は連続繊維強化プラスチックからなるシート）は、上面の前側に設けられた突片４０と、下面の両縁に沿って等間隔に設けられてガイド溝１８に嵌合される略Ｌ形の複数の突起４１と、下面の左右中間にあって長手方向に等間隔に設けられて係合孔６０ａに係合される複数の軸部４３、及び係合孔６ｂに係合される軸部４２と、軸部４２の両側に設けられた貫通孔４ａとを有している。突片４０、突起４１、軸部４２、貫通孔４ａは、ヒンジ基材４Ａの対応部に手加工で設けるか、又は上記プリプレグ材からプリプレグシートを製作する過程で用いられるプレス装置等を利用して設けることも可能である。
【００３８】
以上のヒンジ基材４は、各軸部４３が対応する係合孔６０ａに係合し、軸部４２が係合孔６ｂに係合した状態でシャッタ基材６に連結される。各軸部４３は、係合孔６０からの突出した軸回りに止め輪等の抜止部材９が装着されることで、シャッタ基材６に対し固定される。なお、シャッタ基材６の下面には、抜止部材９を収める窪みが設けられている。ヒンジ基材４をシャッタ基材６に連結した状態において、両側の各突起４１は、シャッタ基材の突起６３同士の間に配置されて、ガイド溝１８に突起６３と共に嵌合されることになる。
【００３９】
また、以上のようにして作製されたシャッタ２には把手７が組付けられる。把手７は、樹脂成形品であり、各貫通孔４ａに対応する２つの穴部７ａと、突片４０と係合する係合穴７ｂとを有している。そして、この把手７は、ヒンジ基材４Ａの突片４０を係合穴７ｂに挿入し係合した状態で、止め具である２本のピン８ａがシャッタ基材６の貫通孔６ａ、ヒンジ基材４Ａの貫通孔４ａを通って穴部７ａに係合される。これにより、把手７は、図５に示されるごとくシャッタ２の前上側に装着される。
【００４０】
以上のシャッタ２は、装置本体１のガイド溝１８に対し各突起６３及び突起４１を嵌合した状態に組み込まれて、装置本体１の開口を塞いだ閉状態から、把手７を利用して開方向つまりガイド溝１８の直線部８ａから湾曲部８ｂの方向へ摺動される。この構造において、摺動操作は、ガイド溝１８の湾曲部１８ｂが略小円形状に湾曲していても、シャッタ基材６が多数の切り溝６２などが設けられており、また、ヒンジ基材４Ａがプリプレグシートであり、従来の樹脂成形品、不織布等に比べ強度、剛性、強靱性を向上し、同時に、厚さを薄くして湾曲可能にすることも容易なため、シャッタ２を開閉方向に摺動するときに従来の操作力に比べて弱い力で摺動操作可能となる。
【００４１】
なお、本発明のシャッタは、独立請求項で特定される構成を備えておればよく、細部は各形態を参考にして色々に変形したり展開可能なものである。ヒンジ基材である連続繊維強化プラスチックからなるシート又はプリプレグシートルは、装飾フィルムを貼着する構成に限られず、模様を上面の対応部に描くようにしてもよい。
【符号の説明】
【００４２】
１・・・・小物入れ装置（１０は装置本体、１５は側板）
２・・・・シャッタ
３・・・・シャッタ基材（３ａは突起、６ａは突起）
４・・・・ヒンジ基材
４Ａ・・・ヒンジ基材
５・・・・装飾フィルム
６・・・・シャッタ基材（６ａは突起、６ａは突起）
７・・・・把手
１８・・・ガイド溝（１８ａは直線部、１８ｂは湾曲部）
なお、２０１５年９月１１日に出願された日本国特願２０１５−１７９６０６号の明細書、特許請求の範囲、図面及び要約書の全内容をここに引用し、本発明の明細書の開示として、取り入れるものである。
【図１】
2017043579.tif 000003
【図２】
2017043579.tif 000004
【図３】
2017043579.tif 000005
【図４】
2017043579.tif 000006
【図５】
2017043579.tif 000007
【図６】
2017043579.tif 000008
【図７】
2017043579.tif 000009
【図８】
2017043579.tif 000010
【図９】
2017043579.tif 000011
【図１０】
2017043579.tif 000012
【国際調査報告】
2017043579.tif 000013
2017043579.tif 000014
2017043579.tif 000015
2017043579.tif 000016